(57)【要約】本発明は、コンピューターを用いた変形されたマルチョイシステム及びその方法に関するものであって、より具体的に、受験者は、決まれた時間に試験問題に該当する選択肢の中で一つを選択することができ、その時間が過ぎると、選択肢は画面上でなくなり受験者はそれ以上選択肢を見ることができない。本発明は試験の効率を増加させる。
2006504983.tif 000002
【特許請求の範囲】
【請求項１】
試験問題を提供して答案によって試験結果を把握する評価システムと、前記試験問題をコンピューター上で転送受けてコンピューターを用いて試験を受けるようにする試験問題処理システムにおいて、
前記コンピューター上に設けられ、前記コンピューターの画面に試験問題と選択肢とを表示するようにするディスプレーモジュールと、前記評価システムから試験問題と選択肢とを転送受けて貯蔵する第１の貯蔵手段と、前記試験問題が表示された後に前記試験問題に該当する複数個の選択肢が一定時間表示されるようにする試験運用モジュールと、前記試験問題の答案を生成して貯蔵する答案貯蔵モジュールとからなる受験者クライアントシステム、及び、
前記コンピューターとネットワークを通じて連結されて試験問題、解答を含む試験問題情報を貯蔵する評価データベースと、受験者のＩＤ番号、受験番号を含む受験者ログイン情報を貯蔵する受験者データベースと、前記試験問題処理運営に関するプログラムを貯蔵する運営データベースとを構築している評価システムからなり、
前記運営データベースに貯蔵されるプログラムは、前記コンピューターを用いてログインした結果を処理するログイン処理モジュールと、前記受験者がログインに用いたコンピューターを把握して前記コンピューターに前記試験問題と複数個の選択肢とを転送する試験問題転送モジュールと、前記受験者が処理した答案を把握して試験結果を生成して前記試験結果を貯蔵する第２の貯蔵手段とを備えることを特徴とする、コンピューターを用いた試験問題処理システム。
【請求項２】
前記コンピューターのＩＰアドレスを用いて前記コンピューターを把握することを特徴とする、請求項１に記載のコンピューターを用いた試験問題処理システム。
【請求項３】
更に、前記評価システムは、前記貯蔵された試験結果を前記受験者のログイン情報を用いて前記受験者に提供するようにする結果提供モジュールを備えることを特徴とする、請求項１又は２に記載のコンピューターを用いた試験問題処理システム。
【請求項４】
試験問題を提供して答案によって試験結果を把握する評価システムと、前記試験問題をコンピューター上で転送受けてコンピューターを用いて試験を受けるようにする試験問題処理方法において、
前記コンピューターで試験問題と複数個の選択肢とを前記評価システムから転送受けて貯蔵して前記試験問題を表示する第１段階、
受験者が表示された前記試験問題を把握して前記問題に該当する選択肢を見ることを選択すると、複数個の選択肢が予め設定された一定時間表示された後になくなるようにして受験者が前記選択肢を見て前記コンピューター上で答案を作成する第２段階、及び、
試験終了信号が入力されると、作成された答案をネットワークを通じて試験を運営して管理する前記評価システムに転送する第３段階からなることを特徴とする、コンピューターを用いた試験問題処理方法。
【請求項５】
更に、前記第１段階において、前記コンピューターで試験問題の番号を表示して前記受験者が前記番号の中で一つを選択すると、試験問題が表示されるようにする段階を備えることを特徴とする、請求項４に記載のコンピューターを用いた試験問題処理方法。
【請求項６】
更に、前記第４段階の後に前記評価システムから転送された答案を評価して前記受験者に告知する段階を備えることを特徴とする、コンピューターを用いた試験問題処理方法。
【請求項７】
前記第２段階において、前記受験者が前記選択肢がなくなる前に他の問題番号を選択すると、他の問題が表示されて既存番号の選択肢はなくなるようにすることを特徴とする、請求項４から６のいずれか１項に記載のコンピューターを用いた試験問題処理方法。
【発明の詳細な説明】
【技術分野】
【０００１】
本発明は、コンピューターを用いて試験問題を提示して受験者の試験弁別力を高めるようにする、コンピューターを用いた試験問題処理システム及びその方法に関するものであって、より詳細に説明すると、受験者がまるで短答型主観式問題を解くように、まず、問題だけを提示した後、提示された問題を見て選択肢を選択すると、複数個の選択肢が短い時間コンピューターの画面上に提示されるようにして、受験者が選択肢が見られる時間に答えを処理することができるようにし、問題の答えを正確に知らないと解きにくくする、コンピューターを用いた試験問題処理システム及びその方法に関するものである。
【背景技術】
【０００２】
人達が、自身が習ったことに対する点検をするため、又は多い人の中で知識水準が高い人を弁別するため、一番普遍的に用いられるのが試験である。
【０００３】
一般に、試験の種類は、問題が提示されてその答えをいろいろな選択肢から選択するマルチョイ、問題が提示されて簡単な答えを書くようにする短答型主観式、及び提示された問題を見て自身の意見などを長文の文章に書く論述型主観式に区分することができる。
【０００４】
論述型主観式は、受験者の特性及び知識の程度を正確に測定することができるという長所があるが、採点者が受験者の答案を読んで理解することに時間がたくさんかかるし、採点する過程において採点者の主観による影響で同じ答案から採点者によって違う結果が出るという問題点が発生する。
【０００５】
短答型主観式は、論述型主観式とは異なり、採点者の主観による影響が比較的少なく表し、受験者が正確な答えが分かる時だけに問題に答えをすることができ、答えを知らない状態で運で正答を当てる場合がない。しかし、問題紙一つ一つを把握して正確に答えをしたかを採点者が直接把握しなければならないので、採点過程が長い。
【０００６】
そして、マルチョイ（ｍｕｌｔｉｐｌｅ  ｃｈｏｉｃｅ  ｔｅｓｔｓ）は、前記の論述型主観式と短答型主観式とは異なり、問題を把握して問題とともに提示された番号付けのいろいろな選択肢の中で一つの選択肢を選択するのとして、ＯＭＲカードなどに選択肢の番号を表記して受験者が当該問題の選択肢に該当する番号を記録し、記録された結果をコンピューターを用いて把握して採点することができて、採点する過程が非常に短くて、試験に応じた後にすぐ受験者が試験点数が分かる。しかし、マルチョイはいろいろな選択肢の中で一つを選択して答えをするのだから、受験者が答えを正確に憶えていない場合に選択肢を見て答えを推測することができ、選択肢からあるほど答えを推測することができて弁別力に限界がある。
【０００７】
このようないろいろな種類の試験の中でたくさんの人が応試し、採点の便利さのためたくさんの試験がマルチョイで行われている。
【０００８】
また、最近コンピューターの発達と補給が急速度になされて、これを用いた教育評価及び心理検査が全世界的に拡散されている。従って、既存の採点をする過程だけにコンピューターを用いるだけでなく、コンピューターを用いて問題を提示して採点するようにし、問題がコンピューターの画面を通じて絵、音声、動映像などのマルチメディアを用いて提示されるようにし、一番最近にはコンピューターを用いて個別適応検査（Ｃｏｍｐｕｔｅｒｉｚｅｄ  Ａｄａｐｔｉｖｅ  Ｔｅｓｔｉｎｇ）が登場して受験者が問題を解くと、その結果によって受験者に適合の次の問題を提示して受験者が問題を正確に知って解いたか、又は運で解いたかが分かるようにし、受験者の問題を解いた結果によって次の問題の難易度を決定して受験者の能力や特性を少ない問題数を用いて正確に把握することができるようにする。しかし、このような方法は問題バンクを作ってたくさんの問題を問題バンクに貯蔵すべき、試験を出題する人が難易度を調節する複雑な作業が必要だという問題点がある。
【０００９】
尚、このようなコンピューターを用いる方法が、マルチョイの根本的な問題点である選択肢により問題の答えを推測することができることは解決できなかった。
【発明の開示】
【００１０】
従って本発明は、前記従来技術の問題点を解決するために創出されたのとして、本発明の目的は、問題を提示した後に受験者が選択肢を選択すると選択肢が短い時間受験者に提示されて、受験者が問題の正答を正確に把握できないと答えをすることができないようにして、受験者の能力や特性を正確に把握できるようにして試験の弁別力を高めることができる、コンピューターを用いた問題処理システム及びその方法に関するものである。
【００１１】
前記目的を達成するため、本発明に係るコンピューターを用いた問題処理システムは、試験問題を提供して答案により試験結果を把握する評価システムと試験問題をコンピューター上で転送受けてコンピューターを用いて試験を受けるようにする試験問題処理システムにおいて、コンピューター上に設けられ、コンピューターの画面に試験問題と選択肢とを表示するようにするディスプレーモジュールと、前記評価システムから試験問題と選択肢とを転送受けて貯蔵する第１の貯蔵手段と、試験問題が表示された後に試験問題に該当する選択肢が一定時間複数個の選択肢が表示されるようにする試験運用モジュールと、試験問題の答案を生成して貯蔵する答案貯蔵モジュールとからなる受験者クライアントシステム、及び、コンピューターとネットワークを通じて連結されて試験問題、解答を含む試験問題情報を貯蔵する評価データベースと、受験者のＩＤ番号、受験番号を含む受験者ログイン情報を貯蔵する受験者データベースと、試験問題処理運営に関するプログラムを貯蔵する運営データベースとを構築している評価システムからなり、運営データベースに貯蔵されるプログラムは、コンピューターを用いてログインした結果を処理するログイン処理モジュールと、受験者がログインに用いたコンピューターを把握してコンピューターに試験問題と複数個の選択肢とを転送する試験問題転送モジュールと、受験者が処理した答案を把握して試験結果を生成し、試験結果を貯蔵する第２の貯蔵手段とを備えることを特徴とし、また、前記目的を達成するため、本発明に係るコンピューターを用いた問題処理方法は、試験問題を提供して答案により試験結果を把握する評価システムと、前記試験問題をコンピューター上で転送受けてコンピューターを用いて試験を受けるようにする試験問題処理方法において、前記コンピューターにおいて試験問題と複数個の選択肢とを前記評価システムから転送受けて貯蔵して前記試験問題を表示する第１段階、受験者が表示された試験問題を把握して問題に該当する選択肢を見ることを選択すると複数個の選択肢が一定時間表示された後になくなるようにし、受験者が選択肢を見てコンピューター上で答案を作成する第２段階、及び、試験終了信号が入力されると作成された答案をネットワークを通じて試験を運営して管理する評価システムに転送する第３段階からなることを特徴とする。
【発明を実施するための最良の形態】
【００１２】
本発明は、添付した図面を参照しながら従来の技術と比較して、下記の説明からより明確に理解されることができる。
【００１３】
図１は、本発明に係るコンピューターを用いた問題処理システムのシステム構造図である。図１を参照して説明すると、コンピューターを用いた問題処理システムは、試験内容が表示されて受験者がコンピューターを用いて試験を受けることができるようにする複数個の受験者クライアント（１０）、受験者クライアント（１０）とネットワークで連結されて試験内容を転送して受験者の試験結果を採点する評価システム（３０）からなる。
【００１４】
受験者クライアントシステム（１０）は、受験者が試験を受けるようになっているコンピューターの端末機に設けられて評価システム（３０）から試験問題を転送受けて用いることができるようにし、受験者が試験問題を解いた結果を持って答案を作成して答案を評価システム（３０）に転送するようにする。また、受験者クライアントシステム（１０）は、評価システム（３０）から受験者の試験成績を転送受けて受験者が見ることができるようにする。
【００１５】
受験者クライアントシステム（１０）は、それぞれの固有番号を持っていて受験者がログインして評価システム（３０）に接続すると、受験者のログイン情報と受験者クライアントシステム（１０）の固有番号とが評価システム（３０）に転送されるようにする。
【００１６】
評価システム（３０）は、受験者クライアントシステム（１０）とネットワークを通じて連結されて試験を受けた受験者の受験者データベース（３４）、試験問題に対する情報を貯蔵する評価データベース（３５）、評価システム（３０）の動作プログラムを貯蔵する運営データベース（３６）を備え、各データベースを用いて試験問題を受験者クライアントシステムに転送し、受験者が処理した結果を受験者クライアントシステムから転送受けて評価できるようにするサーバーシステム（３２）からなる。
【００１７】
評価システム（３０）は、受験者クライアントシステム（１０）の固有番号を認識して、各受験者クライアントシステム（１０）別に他の時間に受験者が選択した問題と選択肢とが転送されることができるようにする。
【００１８】
評価システム（３０）と受験者クライアントシステム（１０）は、一般に専用線（２０）を通じて連結されて指定された場所に設けられているコンピューターの端末機を用いて受験者が試験を受けることができるようにするが、場合によっては評価システム（３０）と受験者クライアントシステム（１０）とがインターネットなどの公衆通信網を通じて連結されて受験者が自身が望むコンピューターの端末機に受験者クライアントシステム（１０）を設けて受験者が望む場所で試験を受けることができるようにする。
【００１９】
図２は、本発明に係るコンピューターを用いた問題処理方法の流れを表す流れ図である。図２を参照して説明する。
【００２０】
第１段階（Ｓ１００）において、受験者が試験に応ずるために受験者クライアントシステム（１０）が設けられているコンピューターの端末機を用いてログインする。ログイン情報としては受験者の名前、受験番号などを含み、ログイン情報は受験者が試験を受け付ける時、又は学校のような所で試験を受ける場合には学番などを用いることができる。
【００２１】
受験者クライアントシステム（１０）は、評価システム（３０）にネットワーク（２０）を通じて受験者のログイン情報を転送する。同時に、受験者クライアントシステム（１０）が設けられているコンピューターの端末機の固有番号を転送する。固有番号としてはコンピューターの端末機のＩＰアドレス、ＬＡＮカードの固有番号などを用いる。
【００２２】
第２段階（Ｓ１０５）において、評価システム（３０）は、受験者のログイン情報を受験者データベース（３４）の情報に構築されている情報と比較して受験者を認証して受験者が評価システム（３０）と連結されるようにする。また、受験者データベース（３４）に受験者が用いるコンピューターの端末機の固有番号を貯蔵する。受験者がコンピューターの端末機の不良などの理由で再び他のコンピューターの端末機を用いて接続する場合に、受験者が他のコンピューターの端末機を用いて試験に応ずることができるように再びログインして接続すると、受験者データベース（３４）はコンピューターの端末機の固有番号を変更して貯蔵する。
【００２３】
第３段階（Ｓ１１０）において、評価システム（３０）は、受験者がログインすると、評価データベース（３５）に貯蔵されている試験問題類型の選択画面を受験者クライアントシステム（１０）に転送して受験者が用いるコンピューターの端末機で試験問題類型の選択画面を表示するようにする。受験者クライアントシステム（１０）への試験問題類型の選択画面の転送は受験者データベース（３４）に貯蔵されているコンピューターの端末機の固有番号を用いて把握されるコンピューターの端末機に転送する。そして、以後のコンピューターの端末機と評価システム（３０）間の通信はコンピューターの端末機の固有番号を用いる。
【００２４】
第４段階（Ｓ１１５）において、受験者が問題類型の選択画面を見て問題類型を選択する。問題類型の選択は必ず必要ではなく、すべての試験が同一な類型で進行されることができる。
【００２５】
第５段階（Ｓ１２０）において、評価システム（３０）は、受験者が選択した問題類型を把握して問題類型によって評価データベース（３５）に貯蔵されている全体の試験問題と問題に該当する複数個の選択肢とを受験者クライアントシステム（１０）に転送する。
【００２６】
第６段階（Ｓ１２５）において、試験問題は、図３に図示されたように表示され、受験者が転送られた試験問題の中で一つの問題を選択すると、受験者クライアントシステムで当該問題をコンピューターの端末機に表示することができる。また、すべての試験問題が予め表示されるようにして表示された問題を見て答えを推測することができるようにする。
【００２７】
第７段階（Ｓ１３０）において、表示された問題を受験者が見て答えを推測した後に選択肢の要請信号を入力すると、図４に図示されたように、受験者クライアントシステム（１０）は複数個の選択肢を一定時間コンピューターの端末機に表示する。選択肢が表示される時間は予め設定され、選択肢の長さ、又は試験の難易度などによって異なる。
【００２８】
第８段階（Ｓ１３５）において、表示された複数個の選択肢を見て受験者が答えを推測して選択肢の中で一つを選択すると、受験者クライアントシステム（１０）で答案を作成して貯蔵する。
【００２９】
受験者クライアントシステム（１０）は、他の問題の選択信号が入力されないと一定時間をカウントし、時間が経過すると選択肢がなくなるようにする。選択肢がなくなると受験者はその以上答えが選択できないことを原則とするが、場合によっては後に修正することができるようにする。
【００３０】
第９段階（Ｓ１４０）において、受験者が表示された問題の番号を用いて次の問題を選択すると、受験者クライアントシステム（１０）は選択した次の問題を表示する。
【００３１】
第１０段階（Ｓ１４５）において、受験者が試験問題を解き切ると、受験者は受験者クライアントシステム（１０）を用いて試験終了信号を評価システム（３０）に伝達し、受験者クライアントシステム（１０）は、その以上受験者が問題を選択することができないようにし、表示されている選択肢が表示されないようにして答えを表示することができないようにする。また、予定の試験時間が過ぎると、評価システム（３０）で試験終了信号を生成して受験者クライアントシステム（１０）に伝達し、受験者クライアントシステム（１０）は受験者が問題を選択することができないようにし、問題選択信号と選択肢入力信号に応答をすることができないようにし、答えを表示することができないようにする。
【００３２】
試験時間経過による試験終了の際には、受験者クライアントシステム（１０）は受験者に試験終了のメッセージを伝達する。
【００３３】
第１１段階（Ｓ１５０）において、受験者クライアントシステム（１０）は、試験終了信号が発生すると評価システム（３０）に採点を要請する。そして、受験者クライアントシステム（１０）に貯蔵されている答案を評価システム（３０）に転送する。
【００３４】
第１２段階（Ｓ１５５）において、受験者クライアントシステム（１０）から採点の要請信号と答案とが転送されると、評価データベース（３５）に貯蔵されている正答データをロードして問題類型によって答案を評価するようにして採点結果を算出する。採点結果は、すべての受験者の点数を把握して各受験者の点数、各問題別正答及び誤答の結果、受験者の平均点数、最高点数、最低点数、問題別正答率などを含む。
【００３５】
そして、評価システム（３０）は、受験者データベース（３４）に採点結果を貯蔵し、受験者の要請があると当該受験者の点数、各問題別正誤答の結果、受験者の平均点数、最高点数、最低点数、問題別正答率などの採点結果を受験者に知らせる。
【００３６】
図３は、本発明に係るコンピューターを用いた問題処理システムにおける試験問題が表示されるコンピューターの画面の一実施例を表す図である。図４は、本発明に係るコンピューターを用いた問題処理システムにおける試験問題と選択肢とが表示されるコンピューターの画面の一実施例を表す図である。
【００３７】
図３を参照すると、本発明の一実施例として、問題４番の「Ｊｅｆｆ  ｉｓ     ｈｉｓ  ｐｉｃｔｕｒｅ  ｔａｋｅｎ」が表示されている。受験者が下線を引いた部分に挿入されるべき適切な単語を考えた後に下端の４番ボタンをクリックすると、図４に示すように、選択肢データ「１．ｍａｋｉｎｇ，２．ａｓｋｉｎｇ，３．ｌｅｔｔｉｎｇ，４．ｈａｖｉｎｇ」が表示される。この選択肢データが表示されながら右側上段の「０」が予め設定された選択肢の表示時間が表示される。例えば、問題４番に対して２０秒の時間が予め設定されると仮定すると、「２０」が表示されながら逆にカウントされ始める。受験者は予め決まれた時間である２０秒内に一つの選択肢を選択してクリックしなければならない。２０秒が過ぎると選択肢データはそれ以上表示されない。選択肢が表示される時間は問題の難易度などを考慮して、任意に設定される。
【産業上の利用可能性】
【００３８】
本発明に係るコンピューターを用いた問題処理システム及びその方法によると、受験者が問題の選択肢を短い時間だけ見ることができて、選択肢を見て問題の答えを推測することができないようにし、問題の答えを正確に知らないと答えをすることができないようにして、マルチョイを解きながら主観式短答型の問題を解く効果を有する。
【００３９】
また、受験者がコンピューターを用いて試験を受けるため、多様な形態の試験問題類型を接することになり、既存のコンピューター試験の長所を用いることができて、少ない問題でも受験者の能力と特性を易く把握することができる。
【００４０】
そして、コンピューターを用いて採点ができるので、採点の公正性を期することができ、迅速な採点ができる。
【００４１】
本発明の好ましい実施例が特定用語を用いて記述されているが、そのような記述は説明だけをするためで、請求範囲の技術的思想及び範囲を逸脱しない限り、いろいろな変更及び変化が加えられることができる。
【図面の簡単な説明】
【００４２】
【図１】本発明に係るコンピューターを用いた問題処理システムのシステム構造図である。
【図２】本発明に係るコンピューターを用いた問題処理方法の流れを表す流れ図である。
【図３】本発明に係るコンピューターを用いた問題処理システムにおける試験問題が表示されるコンピューターの画面の一実施例を表す図である。
【図４】本発明に係るコンピューターを用いた問題処理システムにおける試験問題と選択肢とが表示されるコンピューターの画面の一実施例を表す図である。
【符号の説明】
【００４３】
１０  受験者クライアントシステム
２０  ネットワーク
３０  評価システム
３２  サーバーシステム
３４  受験者データベース
３５  評価データベース
３６  運営データベース
【図１】
2006504983.tif 000003
【図２】
2006504983.tif 000004
【図３】
2006504983.tif 000005
【図４】
2006504983.tif 000006
【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
試験問題と正答とを含む試験問題情報を貯蔵するための評価データベース、受験者のＩＤ番号及び受験番号を含むログイン情報を貯蔵するための受験者データベース、前記試験問題の処理を担当するプログラムを貯蔵するための運営データベース、及び受験者が試験を受けるようにするためにデータを転送して受信するためのサーバーシステムを含む評価システムと、  試験問題及び選択肢をコンピューターの画面に表示するためのディスプレーモジュール、前記評価システムから前記試験問題及び選択肢を転送受けてこれを貯蔵するための第１の貯蔵手段、前記試験問題が表示された後に制限された時間に選択された問題に対する多数の選択肢を表示するための試験運営モジュール、及び前記試験問題に対する前記受験者の答案を貯蔵するための答案貯蔵モジュールを含む受験者クライアントシステムと、  前記評価システム及び前記受験者クライアント間のデータ通信のためのネットワークとからなり、  前記運営データベースに貯蔵される前記プログラムは、前記コンピューターを用いてログイン情報を処理するためのログイン処理モジュールと、前記受験者がログインの際に用いたコンピューターの位置を探して、前記コンピューターに前記試験問題及び選択肢を転送するための試験問題転送モジュールと、受験者の答案を記録して、試験の結果を算出して、そして試験の結果を貯蔵するための第２の貯蔵手段とからなることを特徴とする、変形されたマルチョイシステム。
【請求項２】
前記ネットワークはインターネットであることを特徴とする、請求項１に記載の変形されたマルチョイシステム。
【請求項３】
更に、前記評価システムは、前記受験者のログイン情報を用いて前記試験の結果を前記受験者に提供するための結果転送モジュールを含むことを特徴とする、請求項１に記載の変形されたマルチョイシステム。
【請求項４】
前記評価システムは、前記コンピューターの位置を把握するために前記コンピューターのＩＰアドレスを用いることを特徴とする、請求項１に記載の変形されたマルチョイシステム。
【請求項５】
前記受験者クライアントシステムは、前記評価システムから前記ネットワークを通じて前記プログラムをダウンロードすることができることを特徴とする、請求項１に記載の変形されたマルチョイシステム。
【請求項６】
（ａ）評価システムから試験問題及び多数の選択肢を受信して貯蔵した後、前記試験問題を表示し、  （ｂ）受験者が表示された試験問題の中で一つの問題を選択すると、前記多数の選択肢を決まった時間にコンピューターの画面に表示して、そして受験者クライアントシステムに答案を貯蔵し、  （ｃ）試験終了信号が与えられると前記受験者の答案を、試験を主管する前記評価システムに転送するステップからなることを特徴とする、変形されたマルチョイの方法。
【請求項７】
更に、前記段階（ａ）は、前記受験者が前記試験問題を表示する番号の中から一つを選択すると、選択された問題を画面に表示するステップを含むことを特徴とする、請求項６に記載の変形されたマルチョイの方法。
【請求項８】
更に、前記試験方法は、（ｄ）転送された前記受験者の答案を評価して、その結果を前記受験者に通知するステップを含むことを特徴とする、請求項６に記載の変形されたマルチョイの方法。
【請求項９】
前記段階（ｂ）は、受験者が選択した選択肢をあらかじめ決められた時間内で他の選択肢に数回変形することができることを特徴とする、請求項６に記載の変形されたマルチョイの方法。
【手続補正２】
【補正対象書類名】明細書
【補正対象項目名】全文
【補正方法】変更
【補正の内容】
【発明の詳細な説明】
【技術分野】
【０００１】  本発明は、コンピューターを用いて受験者に試験及び評価を提供するシステム及び方法に関するものである。より具体的に、本発明はコンピューターを用いてマルチョイと短答型試験の長所を結合しようとする試しとして、受験者に、変形されたマルチョイを提供して、受験者の能力をより正確で信頼性あるように評価するシステム及び方法に関するものである。
【背景技術】
【０００２】  一般に、試験は、その人が何を習ったか、そして人の中で優れた知識を有する人を選別するための普遍的な手段として用いられている。【０００３】  このような試験には、各問題に対応する選択肢とともに問題が提供されるマルチョイ、与えられた問題に受験者が簡単な答えを書くようにする短答型試験、及び受験者が与えられた問題に対する答えを論述形式で書く論述型試験などの３種がある。【０００４】  論述型試験は、受験者の知識の程度を測定することができるという点で非常に有用であるが、採点者が、受験者が作成した答案を読んで理解することに時間がたくさんかかるし、採点が主観的であるため、同じ答案であるとしても採点者によって違う点数が付与されることができる。【０００５】  短答型試験は、論述型試験とは異なり、採点者による影響が相対的に少ない。また、受験者は正確な答えを知っているだけに答案を作成することができる。従って、受験者が推測により正確な答えを得ることが非常に難しい。しかし、採点者は各答案用紙をよくみなければならないので、採点に時間がたくさんかかる。【０００６】  マルチョイの場合には、受験者が各問題に与えられた選択肢の中で正答を選択する。時々選択肢はＯＭＲカード上に番号で表記されて、受験者は対応する番号を選択する。受験者の答案を採点することにコンピューターを使うことができるため、採点は非常に迅速になされて、受験者は試験の後にすぐ点数をもらって見ることもできる。しかし、マルチョイは与えられた選択肢の中で正答を選択するのであるため、受験者がただ選択肢だけを見て正答を推測することができる。更に、マルチョイは受験者が自身の考えを作り出す必要がないので、受験者の思考の範囲を縮小させる。それで、マルチョイは弁別力において限界がある。【０００７】  このような多様な類型の試験の中で、マルチョイは採点の便利さのため、続いて用いられている。【０００８】  最近コンピューター技術の急速な発展によって、コンピューター化教育評価及び心理テストが全世界的に拡散されている。コンピューターは採点だけでなく問題を提示することにも用いられる。ある問題はコンピューターの画面上の絵、音声及び動映像のようなマルチメディアを用いて提供される。一番最近、ＣＡＴ（コンピューター適応形検査）が紹介されたことがあるが、これは受験者が答えをしたとき、正答を当てたかどうかの可否によって次の問題が提供されるようにするのである。これは、受験者が正答を知っているか、またはただ推測によって答えをしたかを判断することに役に立つ。問題の水準は受験者の遂行能力によって決定される。このような種類の試験は、出題者が相対的に少ない問題の数で受験者の知識を測定することができるようにする。しかし、この方法は膨大な問題銀行を必要として、試験の出題者は各問題の難易度の水準を割り当てるなどの面倒な作業をしなければならない。【０００９】  尚、このようなコンピューター化試験方法は選択肢から正答を推測し出すという問題点を解決することができない。
【発明の開示】
【発明が解決しようとする課題】
【００１０】  本発明は、前述した問題点を解決するためのとして、本発明の目的は、受験者が短答型問題を解くように、問題を提示して、一定時間提供される選択肢を用いて問題を解くようにすることにより、マルチョイと短答型試験との長所を統合することができる変形されたマルチョイシステム及びその方法を提供することにある。【００１１】  本発明の他の目的は、マルチョイの問題に対応して提供される選択肢を、短い時間だけ提供することで、選択肢のみを見て正答を推測し出すことができないため、効率的に受験者の実力を評価することができる、変形されたマルチョイシステム及びその方法を提供することにある。【００１２】  本発明のまた他の目的は、相対的に少ない問題でも受験者の実力を評価することができる、変形されたマルチョイシステム及びその方法を提供することにある。【００１３】  本発明のまた他の目的は、コンピューター化されていて採点の過程が公正な、変形されたマルチョイシステム及びその方法を提供することにある。
【課題を解決するための手段】
【００１４】  本発明の一つの特徴によると、変形されたマルチョイシステムは、評価システム、受験者クライアントシステム及びネットワークからなる。前記評価システムは、試験問題と正答を含む試験問題情報を貯蔵するための評価データベース、受験者のＩＤ番号及び受験番号を含むログイン情報を貯蔵するための受験者データベース、試験問題の処理を担当するプログラムを貯蔵するための運営データベース及び受験者が試験を受けるようにデータを転送して受信するためのサーバーシステムからなる。前記受験者クライアントシステムは、コンピューターに設けられて試験問題と選択肢とをコンピューターの画面に表示するためのディスプレーモジュール、試験問題と選択肢とを前記評価システムから転送受けてこれを貯蔵するための第１貯蔵手段、試験問題が選択された後、制限された時間に選択された問題に対する多数の選択肢を表示するための試験運営モジュール及び前記試験問題に対する前記受験者の答案を記録するための答案貯蔵モジュールを含む。インターネットのような前記ネットワークは、前記評価システムと受験者クライアントシステム間のデータ通信のためである。【００１５】  本発明の他の特徴によると、変形されたマルチョイの方法が提供される。このような方法は数段階からなるが、一つ目の段階は、評価システムから試験問題と複数の選択肢を転送受けて貯蔵した後、前記試験問題を表示する段階である。二つ目の段階では、受験者が表示された試験問題の中で一つの問題を選択すると、あらかじめ決まれた時間に選択肢を表示して、問題に対する答案を受験者クライアントシステムに貯蔵する。三つ目の段階では、試験終了信号が入力されると受験者の答案をネットワークを通じて試験を統制する評価システムに転送する。【００１６】  受験者はまず問題だけが与えられるため、まるで短答型問題を解くように問題を解くべきである。受験者が解こうとする問題を選択すると、問題に該当する選択肢は短い時間だけに表示される。受験者は与えられた時間内に正答を選択しなければならない。
【発明の効果】
【００１７】  本発明の長所は次のようである。【００１８】  一つ、受験者が一人で可能な正答を思い出さなければならないので、マルチョイの問題が受験者の思考を制限するという一般の批判を除去することができる。二つ、選択肢が短い時間だけに提示されるため、選択肢のみを見て正答を推測し出すという問題点を解決する。三つ、マルチョイのように採点が易くて客観的である。四つ、選択肢が短い時間だけに提示されるので、試験出題者が選択肢を作りやすいです。更に、マルチョイより試験内容に対する記憶力を強化させる。正答を難しく考え出すほど記憶力が強化されるという点はよく知られた事実である。
【発明を実施するための最良の形態】
【００１９】  本発明の目的及び他の長所は、添付された図面とともに次の詳細な説明からより明確になる。【００２０】  図１は、本発明に係る変形されたマルチョイシステムの概略図を表している。前記システムは、受験者が受験者クライアントシステムのコンピューターを用いて試験を受けることができるように試験問題を表示するようにする一つまたはその以上の受験者クライアントシステム（１０）、受験者に問題を転送して受験者の採点の結果を転送するデータ通信のためのネットワーク（２０）、及び前記ネットワーク（２０）により前記受験者クライアントシステム（１０）に連結された評価システム（３０）からなる。【００２１】  本発明のそれぞれの受験者クライアントシステム（１０）は、受験者が試験を受ける時に用いるコンピューターを含む。前記受験者クライアントシステム（１０）は、受験者が試験問題を受けて見るように前記評価システム（３０）から問題を受信して、受験者の答案を記録し、そしてその答案を前記評価システム（３０）に転送する。更に、前記受験者クライアントシステム（１０）は、受験者が試験点数を見ることができるように前記評価システム（３０）から試験の点数を受信する。【００２２】  試験問題と選択肢をコンピューターの画面に表示するため、前記受験者クライアントシステム（１０）はディスプレーモジュールを備える。前記ディスプレーモジュールはコンピューターに設けられる。前記評価システム（３０）から受信した問題及び選択肢は、前記受験者クライアントシステム（１０）の第１貯蔵手段に貯蔵される。前記受験者クライアントシステム（１０）の試験運営モジュールは問題が選択されると制限された時間に選択肢を表示するようにする。前記受験者クライアントシステム（１０）の答案貯蔵モジュールは試験問題に対する受験者の答案を記録して貯蔵する。【００２３】  それぞれの受験者クライアントシステム（１０）は、唯一に割り当てられた番号と受験者のログイン情報を有し、受験者がログインして前記評価システム（３０）に接続すると、前記受験者クライアントシステムの番号は評価システム（３０）に転送される。【００２４】  本発明の前記評価システム（３０）は、ネットワーク（２０）を通じて前記受験者クライアントシステム（１０）に連結され、受験者のＩＤ番号、受験番号などを含むログイン情報を貯蔵するための受験者データベース（３４）、試験問題に対する情報を貯蔵するための評価データベース（３５）及び前記評価システムの運営プログラムを貯蔵するための運営データベース（３６）からなる。また、前記評価システムは、受験者クライアントシステム（１０）から受験者が作成した答案を転送して、当該答案で試験を評価するためのサーバーシステム（３２）を含む。【００２５】  前記評価システム（３０）は、受験者クライアントシステム（１０）のコンピューターの物理的な番号を認識して、それぞれの受験者クライアントシステム（１０）からその時その時選択される問題と選択肢を転送する。【００２６】  前記受験者クライアントシステム（１０）及び評価システム（３０）は、通常的にネットワーク（３０）を通じて連結され、受験者は与えられたコンピューターの端末機を通じて試験��受けなければならない。しかし、必要な場合には前記評価システム（３０）及び受験者クライアントシステム（１０）はインターネットのような公衆通信網を通じて連結されることができ、受験者は自身が望むコンピューターに必要なプログラムをダウンロード受けることにより、望む場所で試験に応ずることができる。【００２７】  前記評価システム（３０）の運営データベース（３６）に貯蔵されるプログラムは、ログイン処理モジュール、試験問題転送モジュール、第２貯蔵手段及び結果転送モジュールを含む。前記ログイン処理モジュールは、受験者クライアントシステム（１０）のコンピューターからログイン情報を受信して、これを受験者データベース（３４）に貯蔵する。前記試験問題転送モジュールは、受験者がログインの際に用いたコンピューターのＩＰアドレスのような物理住所や番号を確認して前記コンピューターに試験問題と選択肢を転送する。第２貯蔵手段は、受験者の答案を記録して結果を算出し、その結果を貯蔵する。結果転送モジュールは、受験者データベース（３４）に貯蔵された受験者のログイン情報を用いて受験者に試験の結果を提供する。【００２８】  図２は、本発明に係る変形されたマルチョイの方法の具体的なプロセスを表すフローチャートである。受験者は、提供される問題の中で解こうとする問題を選択することができる。この時、選択された問題に対応する選択肢はあらかじめ決まれた短い時間だけに表示される。従って、受験者は正答をあらかじめ知っていないと、正確に正答を選択することができない。それで、出題者は受験者の知識をより正確に測定することができる。【００２９】  図２を参照して本発明をより詳細に説明すると次のようである。【００３０】  段階Ｓ１００において、受験者は受験者クライアントシステム（１０）のコンピューターを用いてログインする。ログイン情報は受験者の名前、受験番号などを含む。前記受験番号は受験者が試験に登録する時に付与された番号である。この番号は学校で受ける試験の場合、学生番号に代替することもできる。受験者クライアントシステム（１０）は受験者のログイン情報をネットワーク（２０）を通じて評価システム（３０）に転送する。同時に、前記受験者クライアントシステム（１０）はコンピューターのＩＤ番号を転送する。前記番号はコンピューターの端末機のＩＰアドレスまたはＬＡＮカードのＩＤ番号である。【００３１】  段階Ｓ１０５において、前記評価システム（３０）は受験者のログイン情報と受験者データベース（３４）に貯蔵された情報とを比較した後に受験者を認証して、受験者が評価システム（３０）に接続するように許可する。また、前記評価システム（３０）は受験者が用いるコンピューターのＩＤ番号を受験者データベース（３４）に貯蔵する。コンピューターの端末機に問題が発生すると、受験者は他のコンピューターの端末機を用いて再びログインしなければならなく、受験者データベース（３４）は新しいコンピューターの端末機のＩＤ番号を貯蔵する。【００３２】  段階Ｓ１１０において、前記評価システム（３０）は、受験者がログインに成功すると、評価データベース（３５）に貯蔵された試験問題類型の選択画面を受験者クライアントシステム（１��）に転送する。その後、受験者が用いるコンピューターの端末機には試験問題の選択画面が表示される。このような転送は受験者データベース（３４）に貯蔵されたコンピューターの端末機のＩＤ番号を用いてなされる。コンピューターと評価システム（３０）との間のすべての一連の通信はコンピューターの端末機のＩＤ番号を用いて遂行される。【００３３】  段階Ｓ１１５において、受験者は試験問題類型の画面を見て問題類型を選択する。問題類型の選択は選択事項であり、すべての試験が同一な形式で進行されることもできる。【００３４】  段階Ｓ１２０において、評価システム（３０）は受験者が選択した問題類型を決定して、評価データベース（３５）に貯蔵された試験問題とこれに対応する選択肢を受験者クライアントシステム（１０）に転送する。【００３５】  段階Ｓ１２５において、受験者が問題番号にマウスを位置させると、対応する問題が画面に表示される。試験問題は図３のように表示される。受験者は問題を選択する前に、何の問題番号の上にマウスを持って置くことができる。受験者が問題を選択すると、受験者クライアントシステムはコンピューターの画面に選択された問題を表示する。【００３６】  段階Ｓ１３０において、受験者は表示された問題に対して答える準備になると始めの信号を送ることにより、選択肢を見せることを要請する。その後、受験者クライアントシステム（１０）はコンピューターの画面に与えられた時間に多数の選択肢を表示する。選択肢が表示される時間は受験者の歳や選択肢の長さなどのような要素によって決定される。【００３７】  段階Ｓ１３５において、受験者クライアントシステム（１０）は受験者が多数の選択肢から正答を選択した場合、受験者の答案を記録して貯蔵する。与えられた時間内に、受験者は彼の答案を他の選択肢に変形することもできる。選択肢が一旦なくなると、受験者はその以上答えを選択することができない。【００３８】  段階Ｓ１４０において、受験者がコンピューターの画面の問題番号を用いて次の問題を選択すると、受験者クライアントシステム（１０）は次の問題を表示する。【００３９】  段階Ｓ１４５において、受験者はすべての問題を解いてきたとき、受験者クライアントシステム（１０）を用いて試験終了信号を評価システム（３０）に転送することができる。受験者クライアントシステム（１０）は、受験者がその以上問題を選択したり、答案を記録することができないようにする。また、あらかじめ決まれた試験時間がみんな過ぎると、評価システム（３０）は試験終了信号を発生させて、これを受験者クライアントシステム（１０）に転送する。受験者クライアントシステム（１０）は受験者が問題を選択し得なくして、問題選択信号や選択肢入力信号に応答できない。受験者はその以上答案を記録することができない。【００４０】  段階Ｓ１５０において、試験終了信号が発生すると、受験者クライアントシステム（１０）は評価システム（３０）に採点を遂行するように要請し、貯蔵された答案を評価システム（３０）に転送する。【００４１】  段階Ｓ１５５において、評価システム（３０）が受験者クライアントシステム（１０）から採点要請信号と受験者の答案とを受信すると、評価システ��（３０）は評価データベース（３５）に貯蔵された正答データを読んできて、受験者の答案を評価して、そして採点の結果を算出する。採点の結果は各受験者の試験点数、各問題に対する正確な答えと間違った答え、平均点数、最高点数、最低点数、当てた問題の百分率などを含む。評価システム（３０）は採点の結果を受験者データベース（３４）に貯蔵し、試験点数、各問題に対する正確な答えと間違った答え、平均点数、最高点数、最低点数、当てた問題の百分率などを知らせる。【００４２】  図３は、本発明の変形されたマルチョイシステムで提供される試験問題が提供されたコンピューター画面の例を表す。図４は、本発明の変形されたマルチョイシステムで提供される試験問題と選択肢とが提供された画面を表す。【００４３】  図３のように、問題４番“Ｊｅｆｆ  ｉｓ     ｈｉｓ  ｐｉｃｔｕｒｅ  ｔａｋｅｎ”がコンピューターの画面に表示されている。受験者が空いている線に適切な単語を考えたとき、画面の下の番号４をクリックすると、図４のように選択肢“１．ｍａｋｉｎｇ，２．ａｓｋｉｎｇ，３．ｌｅｔｔｉｎｇ，４．ｈａｖｉｎｇ”が表示される。同時に、画面の右側の上段にはあらかじめ決まれた選択肢の表示時間が表示される。例えば、問題４番に２０秒が与えられたら、“２０”が表示されてカウントダウンされる。２０秒が過ぎると選択肢は画面でなくなる。選択肢が表示される時間は受験者の歳または選択肢の長さのような多様な要素を考慮して、出題者があらかじめ決めておいたのである。【００４４】  本発明の変形されたマルチョイシステム及び方法によると、受験者は問題に対応する選択肢を短い時間だけに見ることができて、選択肢のみを見て正答を推測することができないようにする。受験者が正答を知らないと、与えられた選択肢で正答を選ぶのが相対的に難しい。従って、受験者は短答型試験の効果を有するマルチョイを受けることができるのである。【００４５】  本発明の単純な変形ないし変更はこの分野の通常の知識を有する者により容易に利用されることができ、このような変形や変更はすべて本発明の領域に含まれる。
【図面の簡単な説明】
【００４６】
【図１】本発明に係るコンピューターを用いた変形されたマルチョイシステムの概略図である。
【図２】本発明に係るコンピューターを用いた変形されたマルチョイ方法のプロセスを表すフローチャートである。
【図３】本発明の具体例によって、受験者クライアントに提供される問題が表示されたクライアントのコンピューターの画面を表したのである。
【図４】本発明の具体例によって、決まった時間に提供される選択肢が表示されたクライアントのコンピューターの画面を表したのである。
【符号の説明】
【００４７】  １０  受験者クライアントシステム  ２０  ネットワーク  ３０  評価システム  ３２  サーバーシステム  ３４  受験者データベース  ３５  評価データベース  ３６  運営データベース
【手続補正３】
【補正対象書類名】図面
【補正対象項目名】全図
【補正方法】変更
【補正の内容】
【図１】
2006504983.tif 000007
【図２】
2006504983.tif 000008
【図３】
2006504983.tif 000009
【図４】
2006504983.tif 000010
【国際調査報告】
2006504983.tif 000011